【事件の表示】
　平成　７年特許願第２５８６２１号「遠隔制御装置、および通信システム」拒絶査定不服審判事件〔平成　９年　４月１５日出願公開、特開平　９−１０２８２７〕について、次のとおり審決する。
【結　論】
　本件審判の請求は、成り立たない。
【理　由】
第１　手続の経緯及び本願発明
　本願は、平成７年１０月５日の出願であって、特許請求の範囲の請求項６に係る発明（以下、「本願発明」という。）は、平成１９年９月２５日付け手続補正書により補正された明細書及び図面の記載からみて、その特許請求の範囲の請求項６に記載された以下のとおりのものと認める。
　
（本願発明）
「【請求項６】　録画予約の機能を有する電子機器を遠隔制御する遠隔制御装置であって、
　最新の番組に関する番組表および番組の内容に関する番組情報を含む必要情報が記録されているデータベースと、無線によって接続されているネットワークを介して通信を行い、前記必要情報を受信する受信手段と、
　受信した前記必要情報を記憶する記憶手段と、
　前記必要情報に含まれる前記番組表または前記番組情報を表示する表示手段と、
　表示されている前記番組表へのユーザの操作を示す操作情報を入力する入力手段と、
　前記操作情報によって示される前記ユーザに選択された番組の録画予約に必要な予約情報を、前記ネットワークを介して前記電子機器に送信する送信手段とを備え、
　録画予約を行おうとするユーザのアクセス操作に基づき前記データベースとの通信を確立すると共に、通信が確立された前記データベースから送られてくる前記必要情報を前記受信手段で受信する
　ことを特徴とする遠隔制御装置。」
　
第２　引用発明
１　引用文献１に記載された発明
　当審の拒絶の理由に引用された、特開平６−１６４７４７号公報（以下、「引用文献１」という。）には、図面とともに以下の事項が記載されている。
　
（ア）「【０００１】
【産業上の利用分野】本発明は、外出先から家庭のビデオデッキなどを操作するための遠隔操作システムに関する。」（第２頁第１欄、段落１）
　
（イ）「【０００６】
【課題を解決するための手段】本発明は、信号波を発してビデオデッキを遠隔制御するビデオ制御信号発生部を付加した電話機と該電話機に無線電話回線を介して接続される携帯電話機とを備え、これら電話機と携帯電話機間に該携帯電話機からの入力信号に対応して前記ビデオ制御信号発生部を作動させる通信プロトコルを具備したものである。」（第２頁第２欄、段落６）
　
（ウ）「【０００８】
【実施例】以下、本発明の一実施例を説明する。図１は本発明の実施例を示すシステム構成外観図である。図において、１は家庭内に設置する無線式電話機で、アンテナ２、送受話器３、キー４、赤外線送信口５などから成る。６は外出時に携帯する携帯電話機で、アンテナ７、キー８、液晶ディスプレイ（ＬＣＤ）９などから成る。そして、１０が遠隔操作させようとするビデオデッキで、操作スイッチ１１、赤外線受信口１２などから成る。なお、携帯電話機６は、操作メニューの選択により、液晶ディスプレイ９にビデオ録画予約の操作ガイダンス表示が行われるように設定しておくものとする。また、無線式電話機１とビデオデッキ１０とは、赤外線送信口５から出た赤外線が赤外線受信口１２に入射するように配置するものとする。」（第２頁第２欄、段落８）
　
（エ）「【００１０】次に、本システムによる外出先からのビデオ録画予約と、この予約に基づくビデオ録画制御について説明する。
　図３はビデオ録画予約の手順を示す携帯電話機６の操作フローである。図示してはいないが、まずキー８で携帯電話機６によるビデオ録画制御を選択すると、液晶ディスプレイに操作ガイダンスが表示されるので、以下これにしたがって操作してゆく。まず、携帯電話機６のキー８から家庭の無線式電話機１へダイヤル呼出しを行う（Ｓ１）。無線式電話機１と接続された事を示す着信音が携帯電話機６に返ってきたら（Ｓ２）、キー８入力により動作させようとするビオデッキ１０を指定し（ビオデッキ１０が複数ある場合のみ）、さらにビデオ録画をスタートさせるのか又はストップさせるのか（この場合、いずれもその時間を予約設定できるものとする）を選択する（Ｓ３，Ｓ４）。Ｓ４で録画スタートを選択した場合には（Ｓ５）、続いてキー８入力により、録画を行おうとする時間及び録画チャンネルを指定して（Ｓ６）携帯電話機６からの予約を終了する。一方、録画ストップを選択した場合には（Ｓ５）、直ちに予約を終了する。そして、以上の予約情報が無線式電話機１の記憶部１８に記憶される。」（第３頁第３欄、段落１０）
　
（オ）「【００１２】図４はビデオ録画におけるビデオデッキ１０の制御を示す無線通信式電話機１の制御部１５の動作フローである。制御部１５は、記憶部１８に記憶されている指示を実行する時間を常に監視しており（Ｓ１１）、当該指示の指定時間になると対象とするビデオデッキ１０を特定し（Ｓ１２）、さらに、その指示が「録画スタート」又は「録画ストップ」のいずれかであるか判断する（Ｓ１３）。Ｓ１３で「録画スタート」と判断すると、「電源ＯＮ」、「チャンネル指定」及び「録画スタート」の赤外線を、順次赤外線送信部１９から赤外線受信部２３に送り（Ｓ１４〜Ｓ１６）、ビデオデッキ１０の動作をスタートさせる。そして、予め設定された時間の経過（録画時間）を監視し（Ｓ１７）、この録画時間経過後、「録画ストップ」及び「電源ＯＦＦ」を、順次赤外線送信部１９から赤外線受信部２３に送って、ビデオデッキ１０の動作をストップさせる（Ｓ１８〜Ｓ１９）。一方、Ｓ１３で「録画ストップ」と判断した場合は、直ちにビデオデッキ１０の動作をストップさせる（Ｓ１８〜Ｓ１９）。」（第３頁第３〜４欄、段落１２）
　
　上記摘記事項（イ）の記載によれば、ビデオデッキの遠隔制御は、無線電話回線に接続された携帯電話機からの入力信号により行われるものであり、
　上記摘記事項（エ）の記載によれば、携帯電話機は、録画を行おうとする時間及び録画チャンネルである予約情報を送信する手段を有しており、それを送信手段ということは任意である。
　
　したがって、これらの記載事項及び当該技術分野の技術常識を考慮すると、引用文献１には、以下の発明（以下、「引用発明１」という。）が記載されているものと認められる。
　
（引用発明１）
「録画予約の機能を有するビデオデッキを遠隔制御する携帯電話機であって、
　予約情報を、無線電話回線を介して前記ビデオデッキに送信する送信手段を備えた、
携帯電話機。」
　
２　引用文献２に記載された発明
　当審の拒絶の理由に引用された、特開平３−２２７７０号公報（以下、「引用文献２」という。）には、図面とともに以下の事項が記載されている。
　
（カ）「第１図において、ＴＶ番組表示システムには，例えば２週間分のテレビ放送の番組表を編集・作成するとともに、この作成したテレビ番組表の情報データを所定フォーマット形式の信号とし、この信号を変調して回線（電話回線）１を介して各端末に送信するＴＶ番組表作成装置（例えばパーソナルコンピュータ）２と、その信号を復調するとともに、この復調信号によるテレビ番組の情報データを記憶し、かつ、この記憶データを表示処理するとともに、映像信号に変換して出力する端末のＴＶ番組表示装置３と、その映像信号および受信テレビ信号に応じた画像を表示するテレビ受像機４とが設けられている。また、ＴＶ番組表示システムには、テレビ放送を録画するＶＴＲ装置５と、上記ＴＶ番組表示装置３に対してリモコン信号を送信するリモコン装置６とが備えられている。なお、リモコン装置６には、テレビ番組を画面４０に表示するための指示を出す番組表示キー６０と、表示テレビ番組の所定番組を指定するに際し、画面４０上のカーソルＣ（第４図に示す）を移動するカーソルキー６１と、その指定番組をＶＴＲ装置５に録画予約するための指示を出す録画予約キー６２とが設けられている。なお、上記ＶＴＲ装置５はＲＳ−２３２Ｃインターフェイス機能を有するものである。」（第２頁右下欄第５行〜第３頁左上欄第８行）
　
（キ）「次に、上記ＴＶ番組表示システムの動作を第３図のＴＶ番組表および第４図の画面図を参照して説明する。
　まず、ＴＶ番組表作成装置２においては、キーボード等の操作により例えば２週間分のテレビ番組表が編集、作成され、このテレビ番組表の情報データが内部メモリに記憶されているものとする。そして、ＴＶ番組表作成装置２にてそれら情報データの送信指示が出されると、各端末であるＴＶ番組表示装置３を呼び出すためのオートダイヤルが行われる。そのオートダイヤルにより回線が接続されると、例えば第３図に示されるように、その内部メモリに記憶されている情報データ（例えば１、４／４、７：００、ニュース等のデータ）が所定フォーマット形式の信号とされるとともに、変調され、電話回線１を介して接続末のＴＶ番組表示装置３に送信される。なお、その情報データを各端末装置に送信するに際し、例えば端末からの送信要求により行なうようにしてもよい。」（第３頁右上欄第１７行〜左下欄第１５行）
　
（ク）「一方、ＴＶ番組表示装置３においては、受信信号がモデム３０で復調され、この復調信号によるテレビ番組の情報データがＲＡＭ３２に記憶され、受信情報データの全てがＲＡＭ３２に記憶される。ここで、リモコン装置６の番組表示キー６０が操作されると、ＣＰＵ３３にてＲＡＭ３２の情報データが読み出され、この情報データの表示処理が実行される。この表示処理では、ＣＲＴＣ３５の制御が実行され、チャネル（ＣＨ）、日付、時間、番組名等の情報データが文字パターンデータとされ、この文字パターンデータがＶＲＡＭ３４に記憶され、さらにＶＲＡＭ３４の文字パターンデータによりチャネル（ＣＨ）、日付、時間、番組名等の表示制御が行われる。すなわち、インターフェイス３６にてＶＲＡＭ３４の文字パターンデータが映像信号に変換され、しかもＣＲＴＣ３５からの同期信号がその映像信号とともにテレビ受信機４に出力される。すると、第４図に示されるように、テレビ受像機４の画面４０には、日付、チャネル（ＣＨ）、時間、番組名およびカーソルが等が表示される。ここで、例えば番組表示キー６０の操作が行われる毎に、その画面４０にはＲＡＭ３２の情報データによるテレビ番組が連続的に表示される。なお、その番組表示キー６０を押し続けた場合には、画面４０のテレビ番組をスクロール表示するようにしてもよい。また、ＴＶ番組表作成装置２からは番組の内容を送信するようにすれば、上記画面４０にその内容を表示することができる。さらに、テレビ番組の表示は、複数列に行なうようにしてもよい。さらにまた、第４図の上部に示されるように、上記表示処理に際し、チャネル（ＣＨ）、時間、番組および内容等（４／４、ＣＨ、時間、番組、内容）の文字を表示するようにしてもよい。
　続いて、テレビ番組を表示しているときに、リモコン装置６０のカーソルキー６１が操作されると、上記画面４０上のカーソルＣが上下左右に移動される。そこで、そのカーソルＣを所定番組の位置（例えば第４図の二点鎖線に示す）で停止し、所定番組を指定した後、録画予約キー６２を操作すると、その録画予約のために、ＴＶ番組表示装置３とＶＴＲ装置５との間において、信号の授受が行われる。すなわち、ＶＴＲ装置５とはその信号授受はＲＳ−２３２Ｃに準拠し、１２００ボーレイトの通信スピード、調歩同期方式、全二重およびパリティ無しのデータ形式で８ビットのデータ（スタートおよびストップビット）により行われる。そして、上記録画予約キー６２の操作により、ＴＶ番組表示装置３のＣＰＵ３３にてカーソルＣの指定テレビ番組、例えば４月４日、４ＣＨ、１０：００、連続ドラマのデータおよび録画予約コマンドがインターフェイス３６を介してＶＴＲ装置５に送信される。一方、ＶＴＲ装置５にあっては、そのデータ、コマンドによりその録画番組予約が実行され、その指定テレビ番組が既に予約されている場合にはその旨のコマンドをＴＶ番組表示装置３に送信する制御が行われ、あるいはその指定テレビ番組の録画予約が完了した場合にはその旨をＴＶ番組表示装置３に送信する制御が行われる。
　このように、ＴＶ番組表作成装置２からは編集テレビ番組の情報データが電話回線１を介して各端末のＴＶ番組表示装置３に送信される。その情報データの受信側にてその編集テレビ番組がテレビ受像機４の画面４０に表示される。したがって、利用者はテレビ受像機４の画面で例えば２週間分のテレビ番組を知ることができ、わざわざテレビ雑誌や新聞等を購入する必要がない。また、その画面４０上のカーソルＣを移動し、録画予約の番組を指定すれば、その録画予約が自動的にＶＴＲ装置５にインプットされるため、簡単にＶＴＲ装置５に録画予約できる。」（第３頁左下欄第１６行〜第４頁左下欄第４行）
　
　上記摘記事項（キ）及び（ク）の記載によれば、制御側であるＴＶ番組表示装置、ＴＶ受像機およびリモコン装置は、協働して、被制御側であるＶＴＲ装置に録画予約を実行させるものであって、ＶＴＲ装置の遠隔制御を行うものであるから遠隔制御側システムということができ、
　上記摘記事項（キ）の記載によれば、ＴＶ番組表作成装置には、２週間分のテレビ番組表の情報データが記憶されているものであり、
　その情報データは、上記摘記事項（ク）の「さらにまた、第４図の上部に示されるように、上記表示処理に際し、チャネル（ＣＨ）、時間、番組および内容等（４／４、ＣＨ、時間、番組、内容）の文字を表示するようにしてもよい。」（第４頁左上欄第４行〜第７行）という記載によれば、番組の内容に関する番組情報を含むものであり、
　上記摘記事項（キ）及び（ク）の記載によれば、ＴＶ番組表示装置は、電話回線を介してＴＶ番組表作成装置と接続されて、情報データを受信する手段及び記憶する手段を有するものであり、それらを受信手段及び記憶手段ということは任意であり、
　その接続は、上記摘記事項（キ）の「なお、その情報データを各端末装置に送信するに際し、例えば端末からの送信要求により行なうようにしてもよい。」（第３頁左下欄第１３行〜第１５行）という記載によれば、端末であるＴＶ番組表示装置からの送信要求に基づく接続を含むものであり、
　上記摘記事項（ク）の記載によれば、テレビ受像機は、ＴＶ番組表示装置が受信した情報データを表示するものであるから、表示手段ということができ、
　上記摘記事項（ク）の記載によれば、リモコン装置のカーソルキーの操作により番組が指定（選択）されるものであり、その操作は、ユーザの操作であることは自明であって、その操作に伴う情報を操作情報ということは任意であり、
　上記摘記事項（ク）の記載によれば、録画予約キーの操作により、指定テレビ番組のデータがＶＴＲ装置に送信されるものであって、そのデータが、録画予約に必要な情報であることは自明であり、
　上記摘記事項（ク）の「一方、ＶＴＲ装置５にあっては、そのデータ、コマンドによりその録画番組予約が実行され、その指定テレビ番組が既に予約されている場合にはその旨のコマンドをＴＶ番組表示装置３に送信する制御が行われ、あるいはその指定テレビ番組の録画予約が完了した場合にはその旨をＴＶ番組表示装置３に送信する制御が行われる。」（第４頁右上欄第５行〜第１２行）という記載によれば、ＶＴＲ装置は、録画予約の機能を有するものである。
　
　したがって、これらの記載事項及び当該技術分野の技術常識を考慮すると、引用文献２には、以下の発明（以下、「引用発明２」という。）が記載されているものと認められる。
　
（引用発明２）
「録画予約の機能を有するＶＴＲ装置を遠隔制御する遠隔制御側システムであって、
２週間分の番組に関するテレビ番組表および番組の内容に関する番組情報を含む情報データが記録されているＴＶ番組表作成装置と、電話回線を介して通信を行い、前記情報データを受信する受信手段と、
　受信した前記情報データを記憶する記憶手段と、
　前記情報データに含まれるテレビ番組表または番組の内容に関する番組情報を表示する表示手段と、
　表示されている前記テレビ番組表へのユーザの操作を示す操作情報を入力するカーソルキーと、
　前記操作情報によって示される前記ユーザに選択された番組の録画予約に必要な指定テレビ番組のデータを、前記電話回線を介して前記ＶＴＲ装置に送信する録画予約キーとを備え、
　送信要求に基づき前記ＴＶ番組表作成装置との通信を確立するとともに、通信が確立された前記ＴＶ番組表作成装置から送られてくる前記情報データを前記受信手段で受信する
　遠隔制御側システム。」
　
第３　対比
　本願発明と引用発明１とを対比する。
　
　引用発明１の「ビデオデッキ」は、電子機器の一種であり、
　引用発明１の「携帯電話機」は、電子機器（ビデオデッキ）を遠隔制御しているから、「遠隔制御装置」ということができ、
　引用発明１の「無線電話回線」は、本願発明の「無線によって接続されているネットワーク」に含まれるものである。
　
　したがって、本願発明と引用発明１は、以下の点で一致し、また、相違する。
　
（一致点）
　「録画予約の機能を有する電子機器を遠隔制御する遠隔制御装置であって、
　予約情報を、無線によって接続されているネットワークを介して前記電子機器に送信する送信手段を備えた
　遠隔制御装置。」
　
（相違点）
　本願発明の「遠隔制御装置」は、「最新の番組に関する番組表および番組の内容に関する番組情報を含む必要情報が記録されているデータベースと、無線によって接続されているネットワークを介して通信を行い、前記必要情報を受信する受信手段と、
　受信した前記必要情報を記憶する記憶手段と、
　前記必要情報に含まれる前記番組表または前記番組情報を表示する表示手段と、
　表示されている前記番組表へのユーザの操作を示す操作情報を入力する入力手段と、
　前記操作情報によって示される前記ユーザに選択された番組の録画予約に必要な予約情報を、前記ネットワークを介して前記電子機器に送信する送信手段とを備え」るものであって、それに関連し、「データベース」との通信が、「録画予約を行おうとするユーザのアクセス操作に基づき」確立されるのに対し、引用発明１は、予約情報を、無線によって接続されているネットワークを介して電子機器に送信する送信手段は備えているものの、その他の構成がない点。
　
第４　判断
　上記相違点について検討する。
　
　引用発明２は、本願発明との比較でいえば、
　引用発明２の「ＶＴＲ装置」は、「電子機器」の一種であり、
　引用発明２の「２週間分の番組に関する番組表」は、録画予約に用いられる番組表であるから、「最新の番組に関する番組表」を含むということができ、
　引用発明２の「情報データ」及び「ＴＶ番組表作成装置」は、本願発明の「必要情報」及び「データベース」に相当し、
　引用発明２の「電話回線」は、「ネットワーク」の一種であり、
　引用発明２の「カーソルキー」は、本願発明の「入力手段」に相当し、
　引用発明２の「指定テレビ番組のデータ」及び「録画予約キー」は、本願発明の「予約情報」及び「送信手段」に相当するから、
「録画予約の機能を有する電子機器を遠隔制御する遠隔制御側システムであって、
　最新の番組に関する番組表および番組の内容に関する番組情報を含む必要情報が記録されているデータベースと、ネットワークを介して通信を行い、前記必要情報を受信する受信手段と、
　受信した前記必要情報を記憶する記憶手段と、
　前記必要情報に含まれる前記番組表または前記番組情報を表示する表示手段と、
　表示されている前記番組表へのユーザの操作を示す操作情報を入力する入力手段と、
　前記操作情報によって示される前記ユーザに選択された番組の録画予約に必要な予約情報を、前記ネットワークを介して前記電子機器に送信する送信手段とを備え、
　送信要求に基づき前記データベースとの通信を確立すると共に、通信が確立された前記データベースから送られてくる前記必要情報を前記受信手段で受信する
　遠隔制御側システム」であって、
　引用発明１と引用発明２は、録画予約の機能を有する電子機器を遠隔制御するという点で同一の技術分野に属するものであるから、引用発明１の遠隔制御装置に引用発明２の構成を付加することに阻害要因はなく、さらに、無線によって接続されているネットワークを介してデータベースと通信を行い、データの受信を行う装置は、例えば、特開平７−３０６７２号公報（段落１６〜２１、段落３７〜５６、図２、図５、図６）や特開平６−７８０６６号公報（段落１２〜１３、段落２６、図１）に記載されているように周知技術であることを加味すれば、遠隔制御装置とデータベースが無線によって接続されることも何ら格別なことでもない。
　そして、引用発明２は、遠隔制御側システムの送信要求に基づきＴＶ番組表作成装置（本願発明の「データベース」）との通信が確立されるものであって、ユーザの操作によってデータベースと通信の確立が行われることも、上記特開平７−３０６７２号公報及び特開平６−７８０６６号公報に記載されているように周知技術であるから、引用発明１に、「録画予約を行おうとするユーザのアクセス操作に基づきデータベースとの通信を確立する」構成を採用することにも困難性はない。
　
　したがって、引用発明１に、上記相違点の構成を付加し、本願発明のような構成とすることは、当業者であれば容易に想到し得るものである。
　
第５　むすび
　以上のとおり、本願発明は、引用発明１、引用発明２及び周知技術に基づいて、当業者であれば容易に発明をすることができたものであるから、特許法第２９条第２項の規定により特許を受けることができない。
　
　よって、結論のとおり審決する。